(57)【要約】【課題】  パッシブ駆動型の有機ＥＬパネルにおいて、回路構成及び制御プログラム等を複雑にしなくても大型のパネルサイズを得ること。【解決手段】  陽極ライン３は、ガラス基板２上に形成される。有機層４は、陰極ライン３上に形成される。陰極ライン４は、有機層４上に陽極ライン３と交差するように設けられる。絶縁層５は、陰極ライン４上を覆うように設けられる。ホール部５ｃは絶縁層５から陽極ライン３に達するように設けられる。配線部材７はホール部５ｃを介して陽極ライン３と接触し、陽極ライン３に沿うように絶縁層５上に形成される。【選択図】  図１
2006040802.tif 000002
【特許請求の範囲】
【請求項１】
一方が透光性の一対の電極によって少なくとも発光層を有する有機層を挟持してなる有機ＥＬ素子から発光部を構成し、前記発光部を透光性基板上にマトリクス状に配設してなる有機ＥＬパネルであって、
前記透光性基板上に形成され、前記透光性の電極である複数の陽極ラインと、
前記各陽極ライン上に形成される前記有機層と、
前記有機層上に前記各陽極ラインと交差するように配設される各陰極ラインと、
前記各陰極ライン上を覆うように設けられる絶縁層と、
前記絶縁層から前記陽極ラインに達するように設けられるホール部と、
前記ホール部を介して前記陽極ラインと接触する接触部を有し、前記陽極ラインに沿うように前記絶縁層上に形成される配線部材と、
を備えてなることを特徴とする有機ＥＬパネル。
【請求項２】
前記配線部材は、前記陽極ラインよりも導電率が良い導電材料にて形成されることを特徴とする請求項１に記載の有機ＥＬパネル。
【請求項３】
前記配線部材は、前記陰極ラインと同材料から構成されてなることを特徴とする請求項１に記載の有機ＥＬパネル。
【請求項４】
前記絶縁層は、前記陽極ライン上に設けられる第１の絶縁部と、前記第１の絶縁部から前記陰極ラインを覆う第２の絶縁部とから構成されてなることを特徴とする請求項１に記載の有機ＥＬパネル。
【請求項５】
前記ホール部は、前記陽極ラインの長手方向における前記発光部毎に形成されてなることを特徴とする請求項１に記載の有機ＥＬパネル。
【発明の詳細な説明】
【技術分野】
【０００１】
本発明は、有機ＥＬパネルに関し、特に、少なくとも発光層を有する有機層を、透光性の複数の陽極ラインと、前記陽極ラインと交差する状態で配設される複数の陰極ラインとの間に挟持して複数の発光部を透光性基板上に形成するドットマトリクス型の有機ＥＬパネルに関するものである。
【背景技術】
【０００２】
従来より、有機ＥＬパネルが種々提案されており、例えば特許文献１に開示されている。有機ＥＬパネルは、ガラス基板上に積層体を形成したものであり、この積層体は、透明電極と背面電極によって、正孔注入層，正孔輸送層，発光層及び電子輸送層からなる有機層を挟持して有機ＥＬ素子を構成している。
【０００３】
また、有機ＥＬパネルとしては、有機ＥＬ素子かならなる発光部（画素）をマトリクス状に配置したドットマトリクス型の有機ＥＬパネルがあり、この有機ＥＬパネルは、正孔注入層，正孔輸送層，発光層及び電子輸送層からなる有機層を透光性の複数の陽極ラインと前記陽極ラインと直交する（交差する）状態で配設される複数の陰極ラインとの間に挟持して前記発光部を透光性基板上にて構成するものである。
【０００４】
かかる有機ＥＬパネルとしては、前記陽極ライン及び前記陰極ラインを所定の表示形態に応じて前記各ラインをトランジスタ等のスイッチ手段を用いて選択／非選択することで、前記各陽極ラインの端部側から定電流を印加して所定個所の前記発光部を点灯させた後、非選択時（消灯時）に前記発光部に蓄えられた電荷を放電する（以下、リセット駆動と記す）パッシブ駆動型の有機ＥＬパネルがある（特許文献２参照）。このようなパッシブ駆動型の有機ＥＬパネルにあっては、酸化インジウム（Ｉｎ↓２Ｏ↓３）と酸化スズ（ＳｎＯ↓２）の混合物であるＩＴＯ（Indium Tin Oxide）を前記陽極ラインとして用いられることが一般的である。
【特許文献１】特開２００１−２６７０６６号公報
【特許文献２】特開２００３−１５０１１３号公報
【発明の開示】
【発明が解決しようとする課題】
【０００５】
しかしながら、高抵抗（導電率が低い）な導電材料から構成される前記ＩＴＯを前記陽極ラインとして用いると、パネルサイズの大型化に伴って、前記陽極ラインの長さも長くなり、前記陽極ラインの配線抵抗が大きくなる。これによりリセット駆動時の非選択ラインの発光部に対して逆方向（陰極ラインから陽極ライン方向）に流れる電流によって、選択ライン上の非点灯条件である発光部が点灯してしまうといった不具合が生じるため、有機ＥＬパネルを駆動する駆動回路に抵抗体を取り付けたり、また点灯／非点灯制御を行わせるタイミングを調整する制御プログラムが必要になり、有機ＥＬパネルを駆動するための回路構成が複雑になったり、制御プログラムが複雑化してしまうといった問題点を有していた。
【０００６】
そこで本発明は、前述した問題点に着目し、パッシブ駆動型の有機ＥＬパネルにおいて、回路構成及び制御プログラム等を複雑にしなくても大型のパネルサイズを得ることが可能な有機ＥＬＥＬパネルを得ることを目的とする。
【課題を解決するための手段】
【０００７】
本発明は、前述した課題を解決するため、請求項１に記載した有機ＥＬパネルの通り、一方が透光性の一対の電極によって少なくとも発光層を有する有機層を挟持してなる有機ＥＬ素子から発光部を構成し、前記発光部を透光性基板上にマトリクス状に配設してなる有機ＥＬパネルであって、前記透光性基板上に形成され、前記透光性の電極である複数の陽極ラインと、前記各陽極ライン上に形成される前記有機層と、前記有機層上に前記各陽極ラインと交差するように配設される各陰極ラインと、前記各陰極ライン上を覆うように設けられる絶縁層と、前記絶縁層から前記陽極ラインに達するように設けられるホール部と、前記ホール部を介して前記陽極ラインと接触する接触部を有し、前記陽極ラインに沿うように前記絶縁層上に形成される配線部材と、を備えてなるものである。
【０００８】
また、請求項２に記載した有機ＥＬパネルは、請求項１に記載した有機ＥＬパネルにおいて、前記配線部材は、前記陽極ラインよりも導電率が良い導電材料にて形成されるものである。
【０００９】
また、請求項３に記載した有機ＥＬパネルは、請求項１に記載した有機ＥＬパネルにおいて、前記配線部材は、前記陰極ラインと同材料から構成されてなるものである。
【００１０】
また、請求項４に記載した有機ＥＬパネルは、請求項１に記載した有機ＥＬパネルにおいて、前記絶縁層は、前記陽極ライン上に設けられる第１の絶縁部と、前記第１の絶縁部から前記陰極ラインを覆う第２の絶縁部とから構成されてなるものである。
【００１１】
また、請求項４に記載した有機ＥＬパネルは、請求項１に記載した有機ＥＬパネルにおいて、前記ホール部は、前記陽極ラインの長手方向における前記発光部毎に形成されてなるものである。
【発明の効果】
【００１２】
本発明は、少なくとも発光層を有する有機層を透光性の複数の陽極ラインと前記陽極ラインと交差する状態で配設される複数の陰極ラインとの間に挟持し、複数の画素を透光性基板上にて構成するドットマトリクス型の有機ＥＬパネルに関し、回路構成及び制御プログラム等を複雑にしなくても大型化の表示エリアを確保することが可能となる。
【発明を実施するための最良の形態】
【００１３】
以下、添付図面に基づいて本発明の実施形態を説明する。
【００１４】
図１及び図２において、有機ＥＬパネル１は、ガラス基板（透光性基板）２と、陽極ライン３と、有機層４と、絶縁層５と、陰極ライン６と、配線部材７とから主に構成されている。
【００１５】
ガラス基板２は、所定の厚さを有し、透光性の矩形状基板である。
【００１６】
陽極ライン３は、ＩＴＯやＩＺＯ（（Indium Zinc Oxide）等からなるものであり、スパッタリング或いは蒸着等の手段によって形成され、所定間隔を空けて配置され縦方向にストライプ状をなしている。陽極ライン３は、その一端がガラス基板の一辺側に引き出し形成され、引き出し電極３ａを構成している。
【００１７】
有機層４は、各陰極ライン３上にマトリクス状に形成される発光部（画素）である。有機層４は、図３に示すように、正孔注入層４ａ，正孔輸送層４ｂ，発光層４ｃ及び電子輸送層４ｄを蒸着法によって順次積層形成することで得られるものである。尚、有機層４は、少なくとも発光層４ｃがあれば良いが、本実施形態のように正孔注入層４ａ，正孔輸送層４ｂ及び電子輸送層４ｄを設けることにより、発光輝度を向上させることができる。
【００１８】
絶縁層５は、シリカ（ＳｉＯ↓２），フッ化リチウム（ＬＩＦ）及びアルミナ（Ａｌ２Ｏ↓３）等の蒸着可能な材料が用いられており、第１の絶縁部５ａと第２の絶縁部５ｂとを有している。 第１の絶縁部５ａは、有機層４の製造工程よりも前工程にて形成されるものであり、発光部となる有機層４の輪郭を明確にするため、有機層４の表示領域よりもその縁部が若干小さめに形成されている。
【００１９】
陰極ライン６は、陽極ライン３と直交（交差）するように有機層４上に配設され、所定間隔を空けて配置され横方向にストライプ状をなしている。陰極ライン６は、陽極ライン３よりも導電率の良好な金属材料が用いられ、例えばアルミニウム（Ａｌ）が用いられる。
【００２０】
第２の絶縁部５ｂは、第１の絶縁部５ａに達し、また各陰極ライン６上及び各陰極ライン６間を覆うように蒸着法によって形成されている。第２の絶縁部５ｂには、陽極ライン３の長手方向に沿うように発光部毎（有機層４毎）に、陽極ライン６に達するホール部５ｃが形成されている。
【００２１】
配線部材７は、各陽極ライン３の長手方向に沿うように絶縁層５（第２の絶縁部５ｂ）上に蒸着法によって形成されるとともに、その一端がガラス基板２の一辺に引き出し形成され、引き出し電極７ａが構成されている。また、配線部材７は、第２の絶縁部５ｂに形成されるホール部５ｃから陽極ライン３に電気的に接続する接触部７ｂが形成される。また、配線部材７は、陰極ライン６と同様に導電率の良好な金属材料が用いられ、本実施形態では、陰極ライン６と同材料のアルミニウムが用いられる。
【００２２】
以上の各部によってドットマトリクス型の有機ＥＬパネル１が構成されるものであるが、定電流は、配線部材７から陽極ライン３及び陰極ライン６へ伝達される。かかる有機ＥＬパネル１は、ガラス基板２上に形成され、透光性の電極である複数の陽極ライン３と、陽極ライン３上に形成される有機層４と、有機層４上に各陽極ライン３と交差するように設けられる各陰極ライン６と、陰極ライン６上を覆うように設けられる絶縁層５と、絶縁層５から陽極ライン３に達するように設けられるホール部５ｃと、ホール部５ｃを介して陽極ライン３と接触する接触部７ｂを有し、陽極ライン３に沿うように絶縁層５上に形成される配線部材７と、を備えるものである。
【００２３】
よって、有機ＥＬパネル１は、高抵抗材料のＩＴＯによって陽極ライン３を備える構成であるが、発光部毎に配線部材７接触する接触部７ｂを設けるように構成することで、発光部を非点灯とする際のリセット駆動時において、非選択ライン上の発光部に対して逆方向に流れる電流を、導電率が良好な接触部７ｂ及び配線部材７を介してグランドレベルに流すことが可能となることから、選択ライン上の非点灯条件である発光部へ流れる電流を抑制することが可能となり、非点灯時に前記発光部が点灯してしまうといった不具合を防止することができる。よって、誤点灯を防止するための回路構成が不要となり、また誤点灯防止用の点灯及びリセット処理のための制御プログラムが不要となる。また、パッシブ駆動型の有機ＥＬパネルにおいて、複雑な回路構成及び処理プログラムを必要とすることなく、大型のパネルサイズを得ることができる。
【００２４】
また、配線部材７は、陽極ライン３よりも導電率の良い導電材料にて形成され、陰極ライン６と同材料から構成されてなるものである。よって、非点灯時におけるリセット駆動時に、非選択ライン上の発光部に対して逆方向に流れる電流を、導電率が良好な接触部７ｂ及び配線部材７を介してグランドレベルに流すことが可能となることから、選択ライン上の非点灯条件である発光部へ流れる電流が抑制されるため、非点灯時の前記発光部が点灯してしまうといった不具合を効果的に防止することができる。
【００２５】
また、絶縁層５は、陽極ライン３上に設けられる第１の絶縁部５ａと、第１の絶縁部５ａから陰極ライン６を覆う第２の絶縁部５ｂとから構成されてなるものである。よって、絶縁層５の形成工程が２工程必要となるが、蒸着法によって正確に絶縁層５を形成することが可能となる。
【００２６】
また、陽極ライン３の長手方向における発光部（有機層４）毎に、ホール部５ｃが形成されるものである。従って、各発光部毎に陽極ライン３と配線部材７とを接触させる接触部７ｂが設けられることから、非点灯時におけるリセット駆動時に、非選択ライン上の発光部に対して逆方向に流れる電流を、接触部７ｂ及び配線部材７を介してグランドレベルに流すことが可能となることから、選択ライン上の非点灯条件である発光部へ流れる電流が更に抑制されるため、非点灯時に前記発光部が点灯してしまうといった不具合を防止することができる。
【００２７】
尚、本発明の実施形態では、絶縁層５を第１の絶縁部５ａと第２の絶縁部５ｂとから構成したが、請求項１に記載の本発明にあっては、１工程による蒸着法によって陰極ライン６上から陽極ライン３まで達することが可能な絶縁層にあっては、一層構造の絶縁層であっても良い。
【図面の簡単な説明】
【００２８】
【図１】本発明の実施形態の有機ＥＬパネルの平面図である。
【図２】同上実施形態の有機ＥＬパネルの要部断面図である。
【図３】同上実施形態の有機ＥＬパネルの有機層を示す断面図である。
【符号の説明】
【００２９】
１  有機ＥＬパネル
２  ガラス基板（透光性基板）
３  陽極ライン
４  有機層
５  絶縁層
５ａ  第１の絶縁部
５ｂ  第２の絶縁部
５ｃ  ホール部
６  陰極ライン
７  配線部材
７ｂ  接触部
【図１】
2006040802.tif 000003
【図２】
2006040802.tif 000004
【図３】
2006040802.tif 000005